(57)【要約】【課題】浴槽からの漏水が生じても漏水を確実に受けて建物のスラブ等の床を濡らすことがない。外部に漏水した排水を垂れ流すことなく確実に排水でき、防水槽内への水、臭気の逆流がなく、小さな虫の侵入も防止でき、更に、簡単に防水槽や排水チューブの保守、点検ができる。【解決手段】防水槽１で浴槽２を覆い、該防水槽１の下部から排水チューブ３を導出する。排水チューブ３の先端部を浴室の排水をする排水経路４の途中又は洗い場床パン５に臨ませる。排水チューブ３に防水槽１側からのみ水を流すことができる逆止弁６を設ける。【選択図】図１
2008156952.tif 000002
【特許請求の範囲】
【請求項１】
上方に開口した容器状又は袋状をした防水槽で浴槽を覆い、該防水槽の下部から排水チューブを導出し、排水チューブの先端部を浴室の排水をする排水経路の途中又は洗い場床パンに臨ませ、該排水チューブに防水槽側からのみ水を流すことができる逆止弁を設けて成ることを特徴とする浴槽の防水構造。
【請求項２】
浴槽と洗い場床パンとの間に設けられるエプロンを着脱自在として成ることを特徴とする請求項１記載の浴槽の防水構造。
【発明の詳細な説明】
【技術分野】
【０００１】
本発明は、浴槽の防水構造に関するものである。
【背景技術】
【０００２】
浴槽の亀裂や、あるいは、追い炊き用のアダプター、ジェットバス等の部品、底部に取付ける排水口金具等の取付け部分の緩みによって水漏れが生じた場合、建物のスラブ等の床に漏水が流れ、階下への浸水を招くなどの不都合がある。
【０００３】
そこで、浴槽の亀裂や、追い炊き用のアダプター、ジェットバス等の部品、排水口金具等の取付け部分の緩みによって浴槽から漏水が生じた場合、漏水を建物の床に流出させないようにするために、浴槽の外側を袋状の防水膜で覆って浴槽から漏水した水を袋状の防水膜内に回収して建物の床を濡らさないようにしたものが特許文献１により知られている。
【０００４】
しかしながらこの特許文献１に示された従来例においては、袋状の防水膜の底部に漏水を排水するための漏水排水管を接続し、該漏水排水管を屋外に導出し、浴槽からの水漏れが生じて袋状の防水膜に流れた漏水を漏水排水管により外部に垂れ流すようにしている。このため、漏水排水管から漏水が屋外に流れて屋外の排水箇所を濡らし、衛生的でないという問題があり、また、建物の壁に孔をあけて漏水排水管を外部に導出する必要があり、工事が面倒であり、更に、屋外に導出した漏水排水管を通して小さな虫が防水膜内に侵入して、防水膜内が虫の棲家となったりするという問題もある。
【０００５】
また、長期間の使用により漏水排水管が目詰まりしたり、漏水排水管の接続部分の緩み等が生じた場合、漏水の排水ができなくなったりするおそれがあるが、従来にあってはこの点に対する対策が考慮されておらず、このため、長期化の使用により漏水排水管が目詰まりすると防水膜内に漏水が溜まったままの状態となったり、あるいは、漏水排水管の接続部分の緩みのためこの部分から漏水して建物の床を濡らしてしまうという問題がある。
【特許文献１】特開平７−３１３３９１号公報
【発明の開示】
【発明が解決しようとする課題】
【０００６】
本発明は上記の従来の問題点に鑑みて発明したものであって、浴槽からの漏水が生じても漏水を確実に受けて建物のスラブ等の床を濡らすことがなく、しかも、外部に漏水した排水を垂れ流すことなく確実に排水でき、また、防水槽内への水、臭気の逆流がなく、小さな虫の侵入も防止でき、更に、簡単に防水槽や排水チューブの保守、点検ができる浴槽の防水構造を提供することを課題とするものである。
【課題を解決するための手段】
【０００７】
上記課題を解決するために本発明に係る浴槽の防水構造は、上方に開口した容器状又は袋状をした防水槽１で浴槽２を覆い、該防水槽１の下部から排水チューブ３を導出し、排水チューブ３の先端部を浴室の排水をする排水経路４の途中又は洗い場床パン５に臨ませ、該排水チューブ３に防水槽１側からのみ水を流すことができる逆止弁６を設けて成ることを特徴とするものである。
【０００８】
このような構成とすることで、浴槽２の亀裂や、あるいは、追い炊き用のアダプター、ジェットバス等の部品、底部に取付ける排水口金具７等の取付け部分の緩みによって水漏れが生じた場合、漏水が防水槽１に流れ込み、防水槽１に流れた水は排水チューブ３から浴室の排水（つまり浴槽２からの排水や洗い場床パン５からの排水）をする排水経路４の途中又は洗い場床パン５に流れ、浴室に本来備わっている排水手段をそのまま利用して確実に漏水を排水でき、屋外に漏水を垂れ流すもののように屋外の垂れ流し箇所を汚すという恐れがなく、また、排水チューブ３に防水槽１側からのみ水を流すことができる逆止弁６を設けてあるので、排水チューブ３を通じて排水経路４や床洗い場床パン５側から水が逆流したり、あるいは臭気が逆流したりすることがなく、また、排水経路４を介して小さな虫が防水槽１内に侵入するのも防止することができる。
【０００９】
また、浴槽２と洗い場床パン５との間に設けられるエプロン９を着脱自在とすることが好ましい。
【００１０】
このような構成とすることで、エプロン９を外すことで、簡単に防水槽１や排水チューブ３の保守、点検ができ、特に、排水チューブ３の接続部分の保守、点検、排水チューブ３の目詰まりの保守、点検ができ、浴槽２からの漏水を長期間にわたってスムーズに排水することが可能となる。
【発明の効果】
【００１１】
本発明の請求項１記載の発明は、防水槽により浴槽からの漏水を確実に受けて漏水を浴室の排水をする排水経路の途中又は洗い場床パンに排水することができ、浴槽からの漏水で建物のスラブ等の床を濡らすことがないだけでなく、浴室に本来備わっている排水手段を利用して浴槽からの漏水を確実且つスムーズに排水できて、漏水した排水を屋外に垂れ流す従来例のように屋外の排水箇所を汚すというおそれもなく、更に、排水チューブを介しての防水槽内への水、臭気の逆流がなく、小さな虫の侵入も防止できるという効果がある。
【００１２】
また、請求項２記載の発明は、上記請求項１記載の発明の効果に加えて、簡単に防水槽や排水チューブの保守、点検ができ、浴槽からの漏水を長期間にわたってスムーズに排水することが可能となる。
【発明を実施するための最良の形態】
【００１３】
以下、本発明を添付図面に示す実施形態に基いて説明する。
【００１４】
図１には本発明の一実施形態が示してある。図１はいわゆる床ハーフ方式といわれる浴室ユニットの例が示してある。
【００１５】
図１に示す浴室ユニットは、洗い場床パン５と、支持枠１０と、支持枠１０に載設支持される浴槽２と、エプロン７と、洗い場床パン５の３辺の外端部及び浴槽２の３辺の外端部に立設する壁パネル１１と及びドア枠（図示せず）と、天井パネル（図示せず）とで構成してある。
【００１６】
支持枠１０は少なくとも浴槽設置部１３を備えており、この支持枠１０上に洗い場床パン５を一体に設けてもよく、あるいは、洗い場床パン５と支持枠１０とは分離してあってもよい。
【００１７】
支持枠１０や洗い場床パン５の下面部には高さ調整機能を備えた脚部１４が設けてあり、更に、支持枠１０の上面部の隅部（図においては四隅部）に支柱１５が立設してあり、支柱１５には係止部１６が設けてある
浴槽２を覆うための防水槽１は上方が開口した容器状又は袋状をしており、合成樹脂の成形品、シート材、あるいは伸縮性のあるシート材により容器状又は袋状に形成してあり、支持枠１０の上面部に載置した状態で、図２に示すように防水槽１の上端をフック１７により支持枠１０の支柱１５の係止部１６に引掛け支持させてある。なお、防水槽１が合成樹脂の成形品で自己保形性を有しているものの場合は支柱１５は支持枠１０の上面部の四隅部にそれぞれ支柱１５を設ける必要はなく、１又は２又は３つの隅部に支柱１５を設けて支持枠１０上に載置した防水槽１をフック１７のような連結部材を介して支持するようにしてもよい。
【００１８】
防水槽１の下端部には排水チューブ３の一端部が連通接続してあり、この排水チューブ３の他端部には防水槽１側からのみ水を流すことができる逆止弁６を設けある。
【００１９】
また、防水槽１の底部には浴槽２の底部に取付けた排水口金具７を挿通することができる孔１８が設けてある。
【００２０】
浴槽２は防水槽１の上開口から挿入されて防水槽１を介して支持枠１０上に載置されるもので、これにより浴槽２の全側面及び下面が防水槽１により覆われるようになっている。
【００２１】
浴槽２の底部には排水口金具取付け用の孔２０が設けてあり、この排水口金具取付け用の孔２０に排水口金具７を取付けて浴槽排水部が構成してある。
【００２２】
浴槽２の底部に取付けられた排水口金具７は浴槽２の底部から下方に突出しており、この突出部分を防水槽１の底部の孔１８に挿通し、該排水口金具７の孔１８から突出した部分に排水筒２２を接続することで、排水口金具７と排水筒２２とで防水槽１の底部を上下から水密的に挟持することで孔１８部分から水が漏らないようになっている。
【００２３】
排水筒２２の先端部は洗い場床パン５の排水孔１９に取付けた排水トラップ２３に連通接続してあり、排水トラップ２３に排水管２４の一端部が接続してあり、上記排水筒２２、排水トラップ２３、排水管２４により浴室の排水（洗い場床パン５からの排水、浴槽２からの排水）をする排水経路４が構成してある。
【００２４】
図３に示す実施形態においては、防水槽１の下端部に一端部を連通接続した排水チューブ３の他端部（先端部）が排水トラップ２３に連通接続してある。なお、排水チューブ３の先端を排水経路４に臨ませるに当り、実施形態では排水トラップ２３部分に連通接続しているが、排水経路４の他の部位に連通接続してもよい。また、排水経路４ではなく洗い場床パン５に臨ませ、排水チューブ３から排水した水を洗い場床パン５に流し、その後、排水経路４により排水するようにしてもよい。
【００２５】
また、浴槽２と洗い場床パン５との間にはエプロン９が設けられるが、添付図面に示す実施形態ではエプロン９は浴槽２や洗い場床パン５に対して着脱自在となっている。
【００２６】
上記のような構成の浴室ユニットにおいて、浴槽２の亀裂や、追い炊き用のアダプター、ジェットバス等の部品、底部に取付ける排水口金具７等の取付け部分の緩みなどによって水漏れが発生した場合、浴槽２を覆う防水槽１に流れ込み、防水槽１内の下端部に連通接続した排水チューブ３の先端部から浴室の排水をするための排水経路４に直接又は洗い場床パン５を介して排水経路４に流れる。このようにして浴槽２からの漏水を浴室に本来備わっている排水経路４を有効に利用して正確且つスムーズに排水することができる。
【００２７】
ここで、排水チューブ３には防水槽１側からのみ水を流すことができる逆止弁６を設けてあるので、排水チューブ３を通じて排水経路４や床洗い場床パン５側から水が逆流することがない。特に、排水チューブ３を排水経路４に連通接続した場合は、排水経路４から臭気が逆流することがなく、防水槽１の上開口から臭気が浴室内に流れ込むという事態を回避できる。逆止弁６が設けてあるので、排水経路４を介して小さな虫が防水槽１内に侵入するという事態も発生しない。
【００２８】
また、防水槽１や排水チューブ３の保守、点検に当っては、エプロン９を外すことで、ができ、防水槽１や排水チューブ３の保守、点検を行うものであり、これにより排水チューブ３の接続部分の保守、点検、排水チューブ３の目詰まりの保守、点検ができ、浴槽２からの漏水を長期間にわたって排水チューブ３を用いてスムーズに排水することが可能となる。
【００２９】
なお、防水槽１により浴槽２を覆うに当って、図４（ａ）のように、防水槽１を浴槽２よりもやや大きく形成して防水槽１と浴槽２との間に隙間が形成されるようにしてもよく、また、図４（ｂ）のように、防水槽１を浴槽２の外面にぴったりと接触するようにして覆ってもよい。
【図面の簡単な説明】
【００３０】
【図１】本発明の一実施形態の分解斜視図である。
【図２】同上の支持枠に防水槽を支持した状態の一実施形態の概略説明図である。
【図３】同上の排水チューブを排水トラップに連通接続した状態の実施形態を示す支持枠を省略した状態の概略断面図である。
【図４】（ａ）（ｂ）はそれぞれ浴槽を防水槽で覆う各例を示す概略説明図である。
【符号の説明】
【００３１】
１  防水槽
２  浴槽
３  排水チューブ
４  排水経路
５  洗い場床パン
６  逆止弁
９  エプロン
【図１】
2008156952.tif 000003
【図２】
2008156952.tif 000004
【図３】
2008156952.tif 000005
【図４】
2008156952.tif 000006